(57)【特許請求の範囲】
【請求項１】
外面側に粘着剤が塗布された捕殺粘着シートと、二つ折りにされた紙、プラスチックシート又はこれらの積層シートからなる台紙より構成され、当該捕殺粘着シートの両側端の粘着面が、前記二つ折りにされた台紙を構成する各台紙片の内面に各々貼着され、前記捕殺粘着シートがループ状に配設された飛翔害虫捕殺具であって、
前記捕殺粘着シートに挿通孔を開設するとともに、前記挿通孔に挿入され前記ループ状に配設された捕殺粘着シートの内面側を挿通させた支持棒を係止するための孔部を、少なくともいずれか一方の前記台紙片に開設したことを特徴とする飛翔害虫捕殺具。
【請求項２】
外面側に粘着剤が塗布された捕殺粘着シートと、二つ折りにされた紙、プラスチックシート又はこれらの積層シートからなる台紙より構成され、当該捕殺粘着シートの両側端の粘着面が、前記二つ折りにされた台紙を構成する各台紙片の内面に各々貼着され、前記捕殺粘着シートがループ状に配設された飛翔害虫捕殺具であって、
前記捕殺粘着シートに挿通孔を開設するとともに、少なくともいずれか一方の前記台紙片に切込みを設け、更に前記挿通孔に挿入され前記ループ状に配設された捕殺粘着シートの内面側を挿通させるとともに前記切込みから前記台紙の外面側に突出させた支持棒を係止するための孔部を、当該台紙を貫くように前記各台紙片に開設したことを特徴とする飛翔害虫捕殺具。
【請求項３】
前記切込みは、土中等に立設された支持棒あるいは吊り下げ紐が当該切込みに係止可能に設けられていることを特徴とする請求項２に記載の飛翔害虫捕殺具。
【請求項４】
前記捕殺粘着シートに切除部が設けられ、当該切除部を取り除くことにより、前記挿通孔を開設可能にしたことを特徴とする請求項１、２又は３に記載の飛翔害虫捕殺具。
【請求項５】
外面側に粘着剤が塗布された捕殺粘着シートと、二つ折りにされた紙、プラスチックシート又はこれらの積層シートからなる台紙とより構成され、当該捕殺粘着シートの両側端の粘着面が、前記二つ折りにされた台紙を構成する各台紙片の内面に各々貼着され、前記捕殺粘着シートがループ状に配設されるとともに、少なくともいずれか一方の台紙片に孔部が開設された飛翔害虫捕殺具の使用方法であって、
前記ループ状に配設された捕殺粘着シートに挿通孔を開設し、土中等に立設する支持棒を、当該開設した挿通孔から前記ループ状に配設された捕殺粘着シートの内面側を挿通させるとともに、前記捕殺粘着シートの内面側から前記孔部を挿通させて前記台紙の外面側に突出させ、当該飛翔害虫捕殺具を前記支持棒に係止させることを特徴とする飛翔害虫捕殺具の使用方法。
【請求項６】
外面側に粘着剤が塗布された捕殺粘着シートと、二つ折りにされた紙、プラスチックシート又はこれらの積層シートからなる台紙とより構成され、当該捕殺粘着シートの両側端の粘着面が、前記二つ折りにされた台紙を構成する各台紙片の内面に各々貼着され、前記捕殺粘着シートがループ状に配設されるとともに、前記台紙を貫くように前記各台紙片に孔部が開設され、少なくともいずれか一方の前記台紙片に切込みを設けた飛翔害虫捕殺具の使用方法であって、
前記ループ状に配設された捕殺粘着シートに挿通孔を開設し、土中等に立設する支持棒を、当該挿通孔から前記ループ状に配設された捕殺粘着シートの内面側を挿通させるとともに、前記捕殺粘着シートの内面側から前記切込みを挿通させて前記台紙の外面側に突出させ、更に当該支持部を前記孔部を挿通させて当該台紙の反対面側に突出させ、当該飛翔害虫捕殺具を前記支持棒に係止させることを特徴とする飛翔害虫捕殺具の使用方法。
【発明の詳細な説明】
【０００１】
【発明の属する技術分野】
本発明は飛翔害虫捕殺具に関する。具体的には、粘着剤が塗布された捕殺粘着シートがループ状に備えられた飛翔害虫捕殺具を設置するための構造に関する。
【０００２】
【従来の技術】
従来、取扱いが容易で、かつ製造方法が容易な飛翔害虫捕殺具として、例えば、図１１に示すようなものが提案されている。図１１は、当該飛翔害虫捕殺具Ｄの一例を示す使用説明図である。
【０００３】
当該飛翔害虫捕殺具Ｄは、中央で二つ折りにされて重ね合わせられた二つの台紙片１１を有する台紙１０と、プラスチックシート等の支持体２１の片面全面に粘着剤が塗布された捕殺粘着シート２０とから構成されている。捕殺粘着シート２０の粘着面２２の側端部は前記台紙片１１の内側に貼着されており、捕殺粘着シート２０はループ状に配設されている。
【０００４】
重ね合わされた二つの台紙片１１にはそれぞれ、切込み１３が重なり合うように設けられており、この切込み１３によって形成された折曲フラップ１４は、後述するように土中等に差込まれた支持棒３０あるいは吊下げ紐４０を当該切込み１３に挿入した際にこれらの支持棒３０あるいは吊下げ紐４０を挟持固定して、係止可能なように構成されている。
【０００５】
この飛翔害虫捕殺具Ｄは、園芸ハウスや果樹ハウス内あるいは屋外の菜園などにおける害虫防止に用いられるものであって、例えば、図１１に示すように、ハウス内で土中に立設された支持棒３０を任意の位置で上記切込み１３に挟持させ、その後粘着面２２上に積層された剥離紙２５を剥がして使用される。あるいは、図１２に示すように、ハウス内に張られた吊下げ紐４０を上記切込み１３に挟持させ、その後剥離紙２５を剥がして使用される。なお、１９は商品吊下げ用に開設された孔部である。
【０００６】
この飛翔害虫捕殺具Ｄは、支持棒３０あるいは吊下げ紐４０を切込み１３に挟持する構造となっているため、飛翔害虫捕殺具Ｄの挟持させる位置を容易に変えることができ、挟持させる設置を変えることにより、作物の大きさ等に応じて、適当な高さに飛翔害虫捕殺具Ｄを設置することができる。
【０００７】
また、飛翔害虫捕殺具Ｄは、捕殺粘着シート２０の両側端の粘着面２２を、前記二つ折りにされた台紙１０を構成する各台紙片１１の内面に各々貼着しただけの簡単な構造であり、粘着面２２が形成された捕殺粘着シート２０と、所定の切込み１３や孔部１９が開設された台紙１０を貼着することに、簡単に製造することができる。
【０００８】
しかしながら、この飛翔害虫捕殺具Ｄにあっては、捕殺粘着シート２０は台紙１０に貼着されているだけであって、例えば換気設備のあるハウスなどにあっては、換気による風が生じ、捕殺粘着シート２０がひらひらと風によってはためく場合がある。この結果、はためいた捕殺粘着シート２０が、作物に付着して作物の成長に悪影響を及ぼしたり、花や果実に付着して商品化できなくなる場合があった。
【０００９】
また、作業者にも付着して作業服が汚れたり、作業服等に付着した捕殺粘着シート２０を剥がすために余計な労力を要し、飛翔害虫捕殺具Ｄの効力が低下するなどの不都合もあった。
【００１０】
さらに、作物の成長に応じて設置高さを変更する必要を生じる場合があるが、この際、ループ状になった捕殺粘着シート２０が、作業者に貼着して作業のじゃまになるという問題もあった。
【００１１】
本発明は叙上の従来例の欠点に鑑みてなされたものであり、その目的とするところは、設置する高さ位置を容易に変更することができ、しかも捕殺粘着シートがはためくことのない、使用容易な飛翔害虫捕殺具を提供することにある。
【００１２】
【課題を解決するための手段】
本発明に係る第１の飛翔害虫捕殺具は、外面側に粘着剤が塗布された捕殺粘着シートと、二つ折りにされた紙、プラスチックシート又はこれらの積層シートからなる台紙より構成され、当該捕殺粘着シートの両側端の粘着面が、前記二つ折りにされた台紙を構成する各台紙片の内面に各々貼着され、前記捕殺粘着シートがループ状に配設された飛翔害虫捕殺具であって、前記捕殺粘着シートに挿通孔を開設するとともに、前記挿通孔に挿入され前記ループ状に配設された捕殺粘着シートの内面側を挿通させた支持棒を係止するための孔部を、少なくともいずれか一方の前記台紙片に開設したことを特徴としている。
【００１３】
また、本発明に係る第２の飛翔害虫捕殺具は、外面側に粘着剤が塗布された捕殺粘着シートと、二つ折りにされた紙、プラスチックシート又はこれらの積層シートからなる台紙より構成され、当該捕殺粘着シートの両側端の粘着面が、前記二つ折りにされた台紙を構成する各台紙片の内面に各々貼着され、前記捕殺粘着シートがループ状に配設された飛翔害虫捕殺具であって、前記捕殺粘着シートに挿通孔を開設するとともに、少なくともいずれか一方の前記台紙片に切込みを設け、更に前記挿通孔に挿入され前記ループ状に配設された捕殺粘着シートの内面側を挿通させるとともに前記切込みから前記台紙の外面側に突出させた支持棒を係止するための孔部を、当該台紙を貫くように前記各台紙片に開設したことを特徴としている。
【００１４】
これらの飛翔害虫捕殺具にあっては、前記切込みを、土中等に立設された支持棒あるいは吊り下げ紐を当該切込みに係止可能に設けるのが好ましく、前記捕殺粘着シートに切除部を設け、当該切除部を取り除くことにより、前記挿通孔を開設可能にしてもよい。
【００１５】
本発明に係る第１の飛翔害虫捕殺具の使用方法は、外面側に粘着剤が塗布された捕殺粘着シートと、二つ折りにされた紙、プラスチックシート又はこれらの積層シートからなる台紙とより構成され、当該捕殺粘着シートの両側端の粘着面が、前記二つ折りにされた台紙を構成する各台紙片の内面に各々貼着され、前記捕殺粘着シートがループ状に配設されるとともに、少なくともいずれか一方の台紙片に孔部が開設された飛翔害虫捕殺具の使用方法であって、前記ループ状に配設された捕殺粘着シートに挿通孔を開設し、土中等に立設する支持棒を、当該開設した挿通孔から前記ループ状に配設された捕殺粘着シートの内面側を挿通させるとともに、前記捕殺粘着シートの内面側から前記孔部を挿通させて前記台紙の外面側に突出させ、当該飛翔害虫捕殺具を前記支持棒に係止させることを特徴といる。
【００１６】
また、本発明に係る第２の飛翔害虫捕殺具の使用方法は、外面側に粘着剤が塗布された捕殺粘着シートと、二つ折りにされた紙、プラスチックシート又はこれらの積層シートからなる台紙とより構成され、当該捕殺粘着シートの両側端の粘着面が、前記二つ折りにされた台紙を構成する各台紙片の内面に各々貼着され、前記捕殺粘着シートがループ状に配設されるとともに、前記台紙を貫くように前記各台紙片に孔部が開設され、少なくともいずれか一方の前記台紙片に切込みを設けた飛翔害虫捕殺具の使用方法であって、前記ループ状に配設された捕殺粘着シートに挿通孔を開設し、土中等に立設する支持棒を、当該挿通孔から前記ループ状に配設された捕殺粘着シートの内面側を挿通させるとともに、前記捕殺粘着シートの内面側から前記切込みを挿通させて前記台紙の外面側に突出させ、更に当該支持部を前記孔部を挿通させて当該台紙の反対面側に突出させ、当該飛翔害虫捕殺具を前記支持棒に係止させることを特徴としている。
【００１７】
【発明の実施の形態】
図１は本願第１の発明に係る飛翔害虫捕殺具Ａの一実施の形態を示す斜視図、図２は当該飛翔害虫捕殺具Ａを構成する台紙１０及び捕殺粘着シート２０を示す斜視図、図３は当該飛翔害虫捕殺具Ａの使用説明図、図４はその一部を破断した断面使用説明図である。
【００１８】
図１に示す飛翔害虫捕殺具Ａは、図２（ａ）に示すような中央で二つ折りにされて重ね合わせられた二つの台紙片１１を有する台紙１０と、図２（ｂ）に示すような捕殺粘着シート２０とから構成されている。台紙１０は、例えば、紙、プラスチックシート又はこれらの積層シートから作製されており、繰り返し使用により支持棒３０の支持が甘くならず、当該飛翔害虫捕殺具Ａがずり落ちないように、容易に孔部１２が広がらない材質のものから作製するのが好ましい。
【００１９】
捕殺粘着シート２０は、例えば、ポリエチレンやポリプロピレンなどのプラスチックシートからなる支持体２１の片面に粘着剤が塗布されて粘着面２２が設けられており、その両側端は上記台紙片１１の内側に貼着され、当該捕殺粘着シート２０は、粘着面２２を外側にしてループ状に配設されている。このとき、粘着剤の粘着力が弱い場合には、台紙片１１に貼着した捕殺粘着シート２０が剥がれる恐れがあるので、ステープラなどの固定手段によって補強するのが好ましく、あるいは貼着部位を別な接着剤によって貼着してもよい。また、捕殺粘着シート２０には、後述する支持棒３０を挿通させるための挿通孔２３が開設されている。この挿通孔２３の開設位置は特に限定されるものではないが、捕殺粘着シート２０のほぼ中央に位置させて開設するのが好ましい。
【００２０】
捕殺粘着シート２０に用いられる粘着剤としては、アクリル系粘着剤やゴム系粘着剤など種々の粘着剤を用いることができ、害虫を捕獲できる程度の粘着力があればよく、また、害虫を効率よく捕捉するために、前記粘着剤中に害虫誘引剤を配合しておくのが望ましい。さらに、粘着面２２上には、保管上の観点から、剥離紙２５が積層されている。
【００２１】
台紙１０の上端部には、台紙１０を貫くように孔部１２が各台紙片１１に開設されている。この孔部１２は、後述するようにループ状に配設された捕殺粘着シート２０の内面側を挿通させた支持棒３０を、当該孔部１２から台紙１０の外面側に突出させて、飛翔害虫捕殺具Ａを支持棒３０に係止するものであって、孔部１２の大きさや孔部１２の位置は、挿通させる支持棒３０の太さや飛翔害虫捕殺具Ａの大きさあるいは台紙片１１の強度等によって適宜調整される。また、当該孔部１２だけでは、飛翔害虫捕殺具Ａを十分に係止できない場合であれば、支持棒３０を挿通可能な状態に保ちつつ、２つの台紙片１１の下端部を接着剤やステープラ等によって貼り合わせ、支持棒３０を挟持可能にするのが好ましい。
【００２２】
また、飛翔害虫捕殺具Ａは、粘着剤が塗布された捕殺粘着シート２０のほぼ中央に挿通孔２３を予め開設しておき、当該挿通孔２３が開設された捕殺粘着シート２０の両側端の粘着面２２を、孔部１２が開設された各台紙片１１の内面に貼着することによって、従来の飛翔害虫捕殺具Ｄと同様に簡単に製造することができる。
【００２３】
当該飛翔害虫捕殺具Ａは、図３に示すようにして使用される。まず、支持棒３０を、捕殺粘着シート２０に開設された挿通孔２３に挿入して、捕殺粘着シート２０の内面側を挿通させる。そして、挿通させた支持棒３０を、図４に示すようにいずれか一方の台紙片１１の上端に開設された孔部１２から台紙１０の外面側に突出させて、飛翔害虫捕殺具Ａを支持棒３０に係止させる。この支持棒３０は、野菜等の作物を育成する際に土中にその一端を差込んで使用されるプラスチック製などの棒であって、農業用に農家で広く利用されるものであるが、特にこれに限定されるものでもない。
【００２４】
その後、支持棒３０の下端を土中に差込んで立設し、台紙１０を持って飛翔害虫捕殺具Ａを上下に移動させ、適当な高さ位置に固定する。そして、最後に剥離紙２５を剥がすことにより、害虫を捕獲可能な状態に設置できる。また、作物の成長とともに高さ位置を変更する場合には、台紙１０を手で持って飛翔害虫捕殺具Ａを上下に移動すればよく、簡単に設置位置を変更できる。
【００２５】
このように当該飛翔害虫捕殺具Ａにあっては、ループ状に形成された捕殺粘着シート２０は、支持棒３０によって自由度が制限され、風によってはためくことがない。一方、支持棒３０は捕殺粘着シート２０の挿通孔２３に挿通されただけであるので、捕殺粘着シート２０を自由に上下させることができる。
【００２６】
また本実施例において、支持棒３０を係止する孔部１２は台紙１０を貫くように両台紙片１１に開設してあるが、この孔部１２は必ずしも両台紙片１１に設ける必要もなく、いずれか一方の台紙片１１に開設しておけばよい。このとき、本実施例のように２つの台紙片１１を貫くようにして開設しておくと、いずれの孔部１２より支持棒３０を突出させることができ、より簡単に使用することができる。しかも、当該孔部１２を商品吊下げ用の孔部として利用することができる点でも好都合である。
【００２７】
次に、本願第２の発明に係る飛翔害虫捕殺具Ｂについて、図５乃至図９に基づいて説明する。図５は本願第２の発明に係る飛翔害虫捕殺具Ｂの一実施の形態を示す斜視図、図６は当該飛翔害虫捕殺具Ｂの台紙１０を示す斜視図、図７は当該飛翔害虫捕殺具Ｂの使用説明図、図８はその一部を破断した断面使用説明図、図９（ａ）（ｂ）は、それぞれ当該飛翔害虫捕殺具Ｂの別な使用説明図である。
【００２８】
当該飛翔害虫捕殺具Ｂは、上記本願第１の発明の実施の形態に係る飛翔害虫捕殺具Ａとほぼ同様な構造であって、この飛翔害虫捕殺具Ｂの台紙１０にあっては、図６に示すように２つの台紙片１１にはそれぞれ、切込み１３が重なり合うように設けられている点で異なっているのみである。この切込み１３によって各台紙片１１に折曲フラップ１４が形成され、当該折曲フラップ１４は、後述するように支持棒３０あるいは吊下げ紐４０を切込み１３に挿入した際に、これらの支持棒３０あるいは吊下げ紐４０を挟持固定して、係止可能なように構成されている。
【００２９】
飛翔害虫捕殺具Ｂは、図７に示すようにして使用される。まず、支持棒３０を挿通孔２３に挿入し、ループ状になった捕殺粘着シート２０の内面側を挿通させる。そして、図８に示すようにいずれか一方の台紙片１１に設けられた切込み１３から、一度台紙１０外面側に突出させる。その後、台紙１０外面側に突出させた支持棒３０を台紙片１１に開設された２つの孔部１２に挿入して、台紙１０の反対面側に挿通させ、当該飛翔害虫捕殺具Ｂを支持棒３０に係止させる。その後、支持棒３０の一端の土中に差込んで使用する。
【００３０】
この飛翔害虫捕殺具Ｂでは、切込み１３と孔部１２の２箇所で支持棒３０に係止されることになり、上記の飛翔害虫捕殺具Ａに比べて、しっかりと支持棒３０に係止できる。このため、大きな捕殺粘着シート２０を使用することができる。この場合にも、飛翔害虫捕殺具Ｂを十分に係止できない状態であれば、支持棒３０を挿通可能な状態可能な状態に保ちつつ、２つの台紙片１１の下端部あるいは捕殺粘着シート２０の両側端を接着剤やステープラ等によって貼り合わせし、支持棒３０を挟持可能なようにしてもよい。
【００３１】
また、図９（ａ）に示すように、支持棒３０を切込み１３に係止させて使用することも可能であり、さらに図９（ｂ）に示すように、吊下げ紐４０に切込み１３を係止させて使用することもでき、それぞれ使用場所に適した使い方ができる。
【００３２】
さらに、台紙１０上端部の孔部１２は２つの台紙片１１を貫く状態で開設されているので、当該孔部１２を商品吊り下げ用の孔部として利用することができる点でも好都合である。
【００３３】
これらの飛翔害虫捕殺具Ａ、Ｂにおいては、予め捕殺粘着シート２０に挿通孔２３を設けた場合について説明したが、これらの挿通孔２３は予め開設しておく必要もなく、使用する際に、例えば、図１１や図１２に示す飛翔害虫捕殺具Ｄの捕殺粘着シート２０に、ハサミやカッターなどで開設することにしてもよい。また、図１０に示す飛翔害虫捕殺具Ｃのように、捕殺粘着シート２０に、挿通孔２３を開設するためのミシン目２６を設けて切除部２４を設けておいてもよい。当該飛翔害虫捕殺具Ｃは、使用時に切除部２４を手で切除して挿通孔２３を開設し、この挿通孔２３に支持棒３０を挿入して用いることができる。あるいは、切除部２４を切除せずに、図９（ａ）（ｂ）に示すのと同様に、切込み１３を支持棒３０や吊下げ紐４０に係止させて使用することもできる。
【００３４】
また、切込み１３は支持棒３０や吊下げ紐４０に係止可能な形状に設けられているが、このように係止可能な形状に設ける必要もなく、ループ状となった捕殺粘着シート２０の内面側を挿通させた支持棒３０を、台紙１０の外面側に突出させることができれば、その形状は限定されるものでもない。
【００３５】
【発明の効果】
本発明の飛翔害虫捕殺具にあっては、捕殺粘着シートがループ状に配設されており、支持棒がループ状に配設された捕殺粘着シートの内面側を挿通する構造となっているため、当該飛翔害虫捕殺具を支持棒に係止させて支持棒を立設させても、捕殺粘着シートが風によってはためくことがない。このため、換気等を行なうハウス内や屋外で使用しても、捕殺粘着シートが作業者や作物に付着するのを防止できる。
【００３６】
また、支持棒は台紙片に開設された孔部によって係止される構造となっているため、自由に係止位置を変更でき、飛翔害虫捕殺具を設置する高さ位置を容易に変更できる。
【００３７】
特に、第２の発明にあっては、紙、プラスチックシート又はこれらの積層シートからなる台紙に設けられた切欠きと孔部の２箇所によって係止される構造となっているため、しっかりと支持棒に係止できる。
【００３８】
このとき、当該切欠きを土中等に立設された支持棒あるいは吊下げ紐が当該切込みに係止可能に設けておくと、吊下げ紐に吊り下げて使用することもでき、使用場所に応じて様々な使い方ができる。
【００３９】
また、ループ状に配設された捕殺粘着シートに、支持棒を挿通させる挿通孔を開設するという簡単な作業により構成できるので、コストもかかることなく簡単に飛翔害虫捕殺具を提供できる。
【００４０】
さらに、ループ状に配設された捕殺粘着シートに切除部を設けておき、当該切除部を取り除くことにより、前記挿通孔を開設可能にしておけば、切除部を取り除くことによって、簡単に支持棒を捕殺粘着シートの内面側に挿通させることができる。また、切込みに支持棒や吊下げ紐を係止させる場合には、挿通孔が塞がれた状態になっており、粘着面を有効に利用できる。もちろん、挿通孔の開設されていない捕殺粘着シートに、ハサミ等で挿通孔を開設して、用いることとしてもよい。
【図面の簡単な説明】
【図１】  本願第１の発明に係る飛翔害虫捕殺具の一実施の形態を示す斜視図である。
【図２】  （ａ）は同上の飛翔害虫捕殺具を構成する台紙を示す斜視図、（ｂ）は当該飛翔害虫捕殺具を構成する捕殺粘着シートを示す斜視図である。
【図３】  同上の飛翔害虫捕殺具の使用説明図である。
【図４】  同上の飛翔害虫捕殺具の一部を破断した断面使用説明図である。
【図５】  本願第２の発明に係る飛翔害虫捕殺具の一実施の形態を示す斜視図である。
【図６】  同上の飛翔害虫捕殺具を構成する台紙を示す斜視図である。
【図７】  同上の飛翔害虫捕殺具の使用説明図である。
【図８】  同上の飛翔害虫捕殺具の一部を破断した断面使用説明図である。
【図９】  （ａ）（ｂ）は、それぞれ同上の飛翔害虫捕殺具の別な使用説明図である。
【図１０】  本願第２の発明に係る飛翔害虫捕殺具の別な実施の形態を示す斜視図である。
【図１１】  従来の飛翔害虫捕殺具の一例を示す斜視図である。
【図１２】  同上の飛翔害虫捕殺具の使用説明図である。
【符号の説明】
１０  台紙
１１  台紙片
１２  孔部
１３  切込み
２０  捕殺粘着シート
２１  支持体
２２  粘着面
２３  挿通孔
２４  切除部
２５  剥離紙
３０  支持棒
４０  吊下げ紐
【図１】
0003708282.tif 000002
【図２】
0003708282.tif 000003
【図４】
0003708282.tif 000004
【図３】
0003708282.tif 000005
【図５】
0003708282.tif 000006
【図６】
0003708282.tif 000007
【図８】
0003708282.tif 000008
【図７】
0003708282.tif 000009
【図９】
0003708282.tif 000010
【図１０】
0003708282.tif 000011
【図１１】
0003708282.tif 000012
【図１２】
0003708282.tif 000013